(57)【要約】本発明は、画像信号及び音声信号並びに制御信号を受信及び配信するための幾つかの入力部（７）及び出力部（７，９，１０，１４）と、アンテナ信号を受け取るための少なくとも１つの入力部とを有し、テレビ信号又はラジオ信号を受け取るインターフェースモジュールであって、上記インターフェースモジュールが、少なくとも１つのチューナ（１）と、チップ（２）とを有し、上記チップ（２）は、メモリ手段とデータを取り込む手段とを有するマイクロプロセッサ（４）と、スイッチング手段（１１）と、画像、色及び音のデコード手段（１２）と、信号処理手段（１３）とを有し、上記チップ（２）及び上記チューナ（１）が１つの共通のケーシング（３）に備えられたインターフェースモジュールに関する。
2004519922.tif 000002
【特許請求の範囲】
【請求項１】
画像信号及び音声信号並びに制御信号を受信及び分配するための幾つかの入力部及び出力部と、アンテナ信号のための少なくとも１つの入力部とを有し、テレビ信号又はラジオ信号を受け取るインターフェースモジュールであって、前記インターフェースモジュールが、少なくとも１つのチューナと、チップとを有し、前記チップは、メモリ手段とデータを取り込む手段とを含むマイクロプロセッサと、スイッチング手段と、画像、色及び音のデコード手段と、信号処理手段とを有し、前記チップ及び前記チューナが共通のケーシングに備えられたインターフェースモジュール。
【請求項２】
前記チップ及び前記チューナが共通のプリント基板に搭載されたことを特徴とする請求項１に記載のインターフェースモジュール。
【請求項３】
前記共通のプリント基板が、前記ケーシングの外側の一部に、周辺部品及び接続インターフェースを更に有することを特徴とする請求項２に記載のインターフェースモジュール。
【請求項４】
前記共通のケーシングが電磁シールド材料から作られていることを特徴とする請求項１に記載のインターフェースモジュール。
【請求項５】
前記チップのマイクロプロセッサと前記チューナとがデジタル信号バスによって接続される請求項１に記載のインターフェースモジュール。
【請求項６】
前記チップの前記マイクロプロセッサが、前記デジタル信号バスを通じて前記チューナを制御し、前記マイクロプロセッサの一回限りプログラム可能なメモリに記憶されたソフトウエア手段によって前記チューナのタスク及び機能を実行するように設計された請求項３に記載のインターフェースモジュール。
【請求項７】
前記インターフェースモジュールが前記マイクロプロセッサの一回限りプログラム可能なメモリに記憶されたソフトウエア手段によって初期化されるように設計された請求項６に記載のインターフェースモジュール。
【請求項８】
前記インターフェースモジュールが前記マイクロプロセッサの一回限りプログラム可能なメモリにカスタマイズされたユーザインターフェース用のソフトウエアを記憶するように設計された請求項６に記載のインターフェースモジュール。
【請求項９】
チューナ及びモジュールのアライメント及び測定によって得られる補正パラメータを前記マイクロプロセッサの前記メモリに記憶することができ、補正制御回路が備えられる請求項６に記載のインターフェースモジュール。
【請求項１０】
自動トラッキングフィルタアライメントが備えられる請求項６に記載のインターフェースモジュール。
【請求項１１】
可変バンドスイッチング用の手段が備えられ、前記受け取ったアンテナ信号の強度を測定するための手段が備えられる請求項６に記載のインターフェースモジュール。
【請求項１２】
少なくとも２つのアンテナ入力部が備えられる請求項１又は６に記載のインターフェースモジュール。
【請求項１３】
付加的にＦＭラジオＲＦ入力部が備えられ、前記インターフェースモジュールがＴＶ信号及びＦＭラジオ信号を受信することができるように設計された請求項１２に記載のインターフェースモジュール。
【請求項１４】
前記ケーシングに少なくとも２つのチューナが備えられている請求項１又は６に記載のインターフェースモジュール。
【発明の詳細な説明】
【０００１】
【発明の属する技術分野】
本発明はＴＶ信号を受け取るためのインターフェースモジュールに関する。
【０００２】
【従来の技術】
単一マイクロ回路上の高集積テレビジョンチューナが米国特許５，７３７，０３５から既知である。この回路は標準アンテナ信号を受け取り、標準映像ベースバンド信号及び標準音声ベースバンド信号を出力する。加えて、この回路は映像及び音声処理手段を有し、デジタルシリアルバスインターフェースを通じて外部のコンピュータ又はコントローラによって制御される。
【０００３】
【発明が解決しようとする課題】
本発明の目的は、ＴＶ受像機全体のＥＭＣ（電磁適合性）性能を改良するためにＴＶ受像機のより多くのタスク及び機能が１つの装置に集積されるようにＴＶ受像機用のチューナを修正することである。更に、本発明の目的は、ＥＭＣの影響を受けやすい全ての素子がシールドされたモジュールに含まれることである。
【０００４】
【課題を解決するための手段】
本発明によれば、この目的は、画像信号及び音声信号並びに制御信号を受信及び分配するための幾つかの入力部及び出力部と、アンテナ信号のための少なくとも１つの入力部とを有し、テレビ信号又はラジオ信号を受け取るインターフェースモジュールであって、上記インターフェースモジュールが、少なくとも１つのチューナと、チップとを有し、上記チップは、メモリ手段とデータを取り込む手段とを含むマイクロプロセッサと、スイッチング手段と、画像、色及び音のデコード手段と、信号処理手段とを有し、上記チップ及び上記チューナが共通のケーシングに備えられたインターフェースモジュールによって達成される。
【０００５】
このような装置の利点は、モジュールとシールディングケーシングとの高集積化により、異なる部品の全ての接続が非常に短く且つ完全にシールディングされていることであり、このことによって、耐干渉性及びＥＭＣ性能が全体的に向上する。従って、外部から、チューナ並びに他の全ての含まれる部品及び機能群への電磁干渉が最小限に減少する。チップとチューナとの間の電気的接続部が短いため、他のテレビ受信機部品（例えばＣＲＴ）からの耐電磁干渉性も向上する。このことは、この種のインターフェースモジュールが使用されるテレビ受信機に対して、ＥＭＣ条件を満たすための付加的な作業はほとんど必要ではないことを意味する。更に、このような装置は、追加でシールディング及び他の必要なＥＭＣ作業を伴う分離した幾つかの機能グループよりも、ＴＶ受像機のシャーシＰＣＢ（プリント基板）上に必要なスペースは小さい。別の利点は、マイクロプロセッサによって安価に実現され又は別のＴＶ受像機に適合するように変更されなければならない幾つかの機能をマイクロプロセッサによって行うことができるため、その機能をチップのマイクロプロセッサに移すことができる。このことは、インターフェースモジュールが有する構成要素はより少数であることを意味し、製造コストが削減される。
【０００６】
請求項２による向上点は、チップとチューナとの間の接続ができるだけ短いという利点があり、これによってＴＶシャーシ（ＴＶ ｃｈａｓｓｉｓ）上のスペースが十分に節約される。更に、全ての組立てに敏感な部品がインターフェースモジュールの内側にあり、別々にシールドする必要がないためＴＶシャーシ製造業者は複雑な半田付け工程を使用する必要が無く、従って安価なＴＶ受像機の製造が可能である。
【０００７】
請求項３によれば、プリント基板（ＰＣＢ）が、ケーシングの外側にそのケーシングによって覆われていない幾つかの部品を有する場合、ＰＣＢ上に接続インターフェースを備える、又はチップとチューナとを有するインターフェースモジュールと同じＰＣＢ上にＬＣＤパネルを制御するためのモジュールのような他の周辺部品を備えることも可能である。もしこのようなＬＣＤパネル用の制御回路が備えられると、ＬＣＤのＴＶ受像機を構築することは簡単な作業である。そして、インターフェースモジュール及びＬＣＤパネルのみが必要であり、他には何もいらない。これは、ＴＶ受像機メーカにとって魅力的なソリューションである。
【０００８】
請求項４によれば、ケーシングの外部からの電磁影響に対する耐性は金属ケーシングを使用することによって十分に改善される。これによって、映像処理手段及びマイクロプロセッサのために追加でシールドすることが不要になる。
【０００９】
請求項５による向上点は、映像処理手段及びマイクロプロセッサとチューナとの間の通信をより速く且つより効率的にすることができる。この特徴は、チューナからＩＣのマイクロプロセッサ部分に機能を移すことの実現にも重要であり、このことは、別のＴＶシステムの信号を受け取るというようなより複雑な機能及びタスクを実行するために、チューナＩＣには少しのデジタル部品が要求されるだけであることを意味する。
【００１０】
請求項６乃至８によれば、インターフェースモジュールの全体がソフトウエアによって容易に更新することができる。従って、チューナは異なる機能を持つ異なるＴＶ受像機に適しており、非常に順応性高く構成できる。このようにして、チューナはピクチャインピクチャ、マルチスタンダード受信のような、より複雑な機能を実行することができる。安価で且つ小さいＴＶ受像機が使用される場合、実現される機能は少ない。しかしながら、両方の場合において、チップとチューナとを有する同じインターフェースモジュールが使用できる。このカスタマイズは、ＴＶ受像機を開発する製造業者にとって、寸法及び価格の広い範囲に渡って特に興味深い。ＴＶ受像機メーカは、カスタマイズされたオンスクリーンディスプレイのような特別のユーザインターフェース用に自身のソフトウエアを加えることも可能である。このソフトウエアは、マイクロプロセッサの一回限りプログラム可能なメモリ部分に記憶される。これは、インターフェースモジュールを初期化する１つの可能性である。別の利点は、ＴＶ受像機メーカがＴＶ受像機を設計するためにＲＦ技術及びＥＭＣ問題に関する知識を有する必要は無いことである。
【００１１】
請求項９乃至１１に記載されているような集積されたチューナ及びチップを有するインターフェースモジュールは、信号処理の性能を向上させる別の可能性を提供する。製造プロセスの間に起きるズレは、インターフェースモジュール自体によって補正することができる。このズレは測定され、そのズレは次に補正テーブルに記憶される。同様のことがフィルタ、特にＳＡＷ（表面弾性波）フィルタに行うことができる。受け取った信号の強度を測定し、フィルタと利得とを調整することが可能である。
【００１２】
請求項１２及び１３に記載されたインターフェースモジュールはマイクロプロセッサを有するため、１つ以上のチューナ又は１つ以上のアンテナが必要なアンテナダイバシティに対して、慣習的な考えよりも安価なソリューションが可能である。インターフェースモジュールは、モジュールのチューナ部分が１つ以上のアンテナ入力部を有することができ、マイクロプロセッサによって制御されるように設計される。このことは、チューナが種々のＴＶ信号の切替えができ、又は受信しているＴＶ信号から受信しているＦＭラジオ信号に切替えできることを意味する。アンテナダイバシティにとって、ＲＳＳＩ（受信信号強度表示）機能が非常に重要である。この機能はインターフェースモジュールに集積することができる。
【００１３】
請求項１４に記載されたインターフェースモジュールは自動車の分野で特に有益である。ますます多くの自動車がカーナビゲーション用にＬＣＤスクリーンを備えているので、そのスクリーンをテレビとして使用することも望まれる。しかしながら、移動中の自動車ではＴＶ信号を受信する条件はかなり悪いので、アンテナダイバシティと呼ばれる技術がしばしば使用される。
【００１４】
本発明は図面を基準にしてより詳細に説明される。
【００１５】
【発明の実施の形態】
チューナ１及びチップ２は図１に示すように共通のケーシング３に備えられており、ＰＣＢ（プリント基板）上に搭載されている。このケーシング３は金属で形成されていることが好ましく、プログラミングのために電気的に導通できるように上部に小さな孔を有することができる。このチップは、ワンチップソリューションであり、このことは、チップ２が、マイクロプロセッサ４、テレテキスト機能、フィルタ及びスイッチ１１、信号処理装置１３、並びに映像信号、色信号及び音声信号用のデコーダ１２のような幾つかの構成要素を有することを意味する。チューナ１及びチップ２は共通のケーシング３に配されているため、要求されるＥＭＣ性能（例えばケーシング３の外部からの電磁干渉の耐性）に容易に到達し、多くの点でかなり改良される。チップ２内の種々の構成要素はマイクロプロセッサ４によって制御される。１つ以上のアンテナ信号５ａ，５ｂを受け取るチューナ１もマイクロプロセッサ４によって制御される。従って、チューナ１の機能をマイクロプロセッサ４にシフトすることが可能である。チューナ１はアナログＴＶ信号５ａとラジオ信号５ｂ（特にＦＭ信号）を受け取ることができる。チューナ１の改良版は、更にデジタルのＴＶ及びラジオ信号を受け取ることができる。更に、ケーシング３は、ＣＲＴの偏向制御部８ａ、増幅されるべき音声信号用の少なくとも１つの出力部９、及びＲＧＢ信号用の出力部１０の接続インターフェースを提供する。チップ２には、このような増幅器の制御部も集積されている。
【００１６】
ビデオレコーダ又はＤＶＤプレーヤの信号を処理するために、インターフェースモジュールは、映像及び音声用のＣｉｎｃｈ入力部７ｂ、ＳＣＡＲＴ７ａのような規格化された接続インターフェースを有する。ＳＣＡＲＴコネクタの代わりに、例えば米国領域用の幾つかのＣｉｎｃｈ入出力部を有することもできる。キーボード１４ａおよびリモコン１４ｂのようなユーザインターフェースも備えられる。
【００１７】
マイクロプロセッサ４に追加することもできる機能は受信信号強度表示であり、これは、マイクロプロセッサ４で利用可能な８ビットＡＤＣにより実現できるだろう。マイクロプロセッサ４は、チューナ部分との３線通信の使用も可能であり、これによってより高速となるだろう。インターフェースモジュールのもう一つの有望な機能はチューナの自動調整であり、これもマイクロプロセッサ４によって実現できるだろう。自動調整によって、全種類のＴＶ規格に対して包括的なチューナ設計が可能である。マイクロプロセッサ４は同調電圧を制御し、より素早いチューニングのためにメモリにＡＧＣ（自動利得制御）を記憶することもできる。
【００１８】
２つのアンテナ入力部を備えているため、この構造はアンテナダイバーシティを利用するカーシステムでのアプリケーションとして理想的である。チューナ１及びチップ２に新しい機能を加えるのであれば、マイクロプロセッサで実行されるソフトウエアを変更又は修正することによって、新たな機能が容易に利用できるだろう。従って、製造業者は単にソフトウエアのアップグレードによって機能を変更することができる。同一のインターフェースモジュールがマイクロプロセッサ４の別のソフトウエアで使用されるけれども、特定の機能を特定のテレビ受像機用に保存しておくこともできる。
【００１９】
インターフェースモジュール全体の寸法の一例は１１４ｍｍ×４８ｍｍ×１４ｍｍである。このことは、１つのケーシングにチューナ１とチップ２とが搭載されている状態で非常にコンパクトな寸法が可能であることを示す。インターフェースモジュールのＰＣＢが、ＬＣＤパネル１５を直接的に制御することができるいわゆるスケーラよりも少し大きい場合、ＰＣＢに、オーディオ増幅器、ＥＥＰＲＯＭ及び電圧調整器のような数個の他の部品を加えることができる。アナログＬＣＤディスプレイに対して、スケーラ８ｂは必要ではない。これは、ＬＣＤのテレビ受像機が、追加された部品を伴うインターフェースモジュールとＬＣＤパネル１５のみを有することを意味する。このＴＶメーカは２つのパーツを接続しそのパーツをボックスに取り付けさえすればよく、テレビ受像機はすぐに販売できる。
【００２０】
図２に示すようなインターフェースモジュールはステレオ音声信号の処理を実現する構成を提供する。従って、ステレオデコーダ９ｂ用の出力部が備えられている。音声信号及び映像信号用の入力部７ｃ，７ｄはステレオ音声信号にも適している。
【００２１】
図３に別のインターフェースモジュールが示されており、このモジュールはＬＣＤパネル１５を制御するための制御装置８ｂを備えている。この制御装置８ｂはいわゆるスケーラ８ｂであり、ＬＣＤパネル１５の画素を制御することができる。このスケーラ８ｂもインターフェースモジュールと同じＰＣＢに搭載されているが、ケーシング３の外側である。アナログディスプレイではスケーラ８ｂは必要ではなく、この場合、ＲＧＢ信号及び同期信号は表示装置に直に向かっている。
【００２２】
インターフェースモジュールは自動車テレビにも適用可能である。この場合、アンテナダイバシティがしばしば自動車テレビに使用されるため、幾つかのアンテナ信号５ａ，５ｂの受信能力が特に重要である。ＬＣＤモニタ１５のそばには、ナビゲーションコンピュータ１６用のインターフェースがある。Ｓ−ＶＨＳ映像信号用の外部入力部７ｅや、音声制御部１９用の可能性も提供される。チューナ１ａのいくつかの機能は、モジュールの外部の特別な自動車ＡＭ／ＦＭ受信機１ｂに移動する。その代わりに、アンテナダイバシティ制御装置１７又は低ノイズ増幅器１８のような他の機能がケーシング３に構築される。音声装置１９に必要なソフトウエア機能はチップ２のマイクロプロセッサ４により実現される。このことは、この装置にセル式電話を組み込むために必要な他の機能もチップ２によって実現可能であることを意味する。
【図面の簡単な説明】
【図１】信号の入出力と、チップ及びチューナを有するケーシングの内容とともに、本発明によるＴＶ受像機用のインターフェースモジュールのブロック図を示す。
【図２】ステレオ音声信号を受け取るためのＴＶ受像機用のインターフェースモジュールのブロック図を示す。
【図３】ＬＣＤのＴＶ受像機用のインターフェースモジュールのブロック図を示す。
【図４】自動車ＴＶ受像機用のインターフェースモジュールのブロック図を示す。
【国際公開パンフレット】
2004519922.tif 000003
2004519922.tif 000004
2004519922.tif 000005
2004519922.tif 000006
2004519922.tif 000007
2004519922.tif 000008
2004519922.tif 000009
2004519922.tif 000010
2004519922.tif 000011
2004519922.tif 000012
2004519922.tif 000013
2004519922.tif 000014
2004519922.tif 000015
【国際調査報告】
2004519922.tif 000016
2004519922.tif 000017